(57)【特許請求の範囲】
【請求項１】
吸引ブロア、レシーバータンク及び溜水を利用して集塵をおこなう溜水型集塵器を集塵風路にて接続して車に搭載し、吸引ブロアよりの吸引エアーにて集塵をおこなう集塵車であって、溜水型集塵器の溜水をレシーバータンクより延出されている吸引ホースの先端部から吸引ブロアまでの集塵風路の適宜の箇所に供給して集塵風路中の塵埃を液滴で捕捉する浮遊塵埃捕捉手段と、溜水型集塵器の溜水の水頭圧を利用して溜水を集塵風路に供給する配管手段と、溜水型集塵器の溜水量が減少された場合に補給する水タンクを備えて成ることを特徴とする集塵車。
【請求項２】
配管手段の先端に設けたノズルを集塵風路の中央部に進入させ、ノズルの先端に吸引ブロア側に向かう吐水口を形成して成ることを特徴とする請求項１記載の集塵車。
【請求項３】
複数個のノズルを集塵風路の周方向に間隔を隔てて取り付けて成ることを特徴とする請求項１記載の集塵車。
【発明の詳細な説明】
【０００１】
【発明の属する技術分野】
本発明は、集塵車に関し、詳しくは、搭載している溜水型集塵器の溜水を有効に利用して集塵効率を高め、吸引ブロアの塵埃によるロックを低減し、吸引ブロアのケーシング及びローターの摩耗を低減して吸引ブロアの効率が低下するのを長期にわたって防止し、高い効率を維持し、結果として、集塵車の商品価値を高めようとする技術に係るものである。
【０００２】
【従来の技術】
従来、集塵車においては、図１３に示すように、レシーバータンク２、例えばサイクロン方式にて集塵をおこなう２次キャッチャー１５、溜水に微粒子を付着させて集塵をおこなう３次キャッチャー１６、吸引ブロア１、及び、吸引ブロア１からのエアーを水に触れさせることでエアーを清浄化しかつ消音を図って大気に排気する４次キャッチャー１７等を搭載している。
【０００３】
【発明が解決しようとする課題】
ところで、このような集塵車においては、吸引した塵埃の一部がレシーバータンク２を通過し、２次キャッチャー１５、３次キャッチャー１６をへて吸引ブロア１に導入されるのであり、吸引ブロア１のローターとケーシングとの間に侵入した塵埃によって両者がロックされて運転不能になることがあるのであり、このような場合には、修理、オーバーフローをおこなわなければならなくなる。又、塵埃が侵入することからローター及びケーシング面が摩耗して吸引ブロアの性能が使用に伴って低下するという問題がある。
【０００４】
因みに、集塵対象物を湿潤粉粒体とする場合の集塵率データの一例は、
0003626714.tif 000002
であり、３次キャッチャー１５と４次キャッチャー１７との間に配設している吸引ブロア１に約２．５〜１０（％）の塵埃が通過していることが判る。
【０００５】
本発明はこのような問題に鑑みてなされたものであり、搭載している溜水型集塵器の溜水を有効に利用して塵埃の捕捉効率を高め、吸引ブロアのロックを低減し、吸引ブロアのケーシング及びローターの摩耗を低減して吸引ブロアの効率が低下するのを防止して長期にわたって高効率を維持することができる集塵車を提供することを課題とするものである。
【０００６】
【課題を解決するための手段】
請求項１に係る発明においては、吸引ブロア１、レシーバータンク２及び溜水を利用して集塵をおこなう溜水型集塵器３を集塵風路６にて接続して車に搭載し、吸引ブロア１よりの吸引エアーにて集塵をおこなう集塵車であって、溜水型集塵器３の溜水をレシーバータンク２より延出されている吸引ホース５の先端部から吸引ブロア１までの集塵風路６の適宜の箇所に供給して集塵風路６中の塵埃を液滴で捕捉する浮遊塵埃捕捉手段７と、溜水型集塵器３の溜水の水頭圧を利用して溜水を集塵風路６に供給する配管手段８と、溜水型集塵器３の溜水量が減少された場合に補給する水タンク３３を備えていることを特徴とするものである。
【０００７】
このような構成によれば、溜水型集塵器３における溜水を吸引ブロア１までの集塵風路６に供給して液滴によって浮遊塵埃を捕捉することができ、搭載している溜水型集塵器３の溜水を有効に利用して塵埃の捕捉効率を高めることができ、吸引ブロア１に導入されるエアーには塵埃が殆ど存在することがなく、塵埃の噛み込みによる吸引ブロア１のロックを防止することができ、かつ、吸引ブロア１のケーシング及びローターの摩耗を低減することができ、吸引ブロア１の高い効率を長期にわたって維持することができ、吸引ブロア１の保守の頻度を抑えて吸引ブロア１の寿命を延ばし、集塵車Ａの商品価値を高めることができる。
【０００８】
しかも、搭載されている溜水型集塵器３の溜水を適宜の集塵風路６に供給するものであることから、集塵風路６に液滴を供給する浮遊塵埃捕捉手段７の構成を簡素化でき、集塵車Ａにおいて有利となる。ところで、浮遊塵埃捕捉手段７を集塵風路６の複数箇所にわたって設定する場合には、集塵効率を、一層、高めることができるものであり、吸引ブロア１に導入されるエアー中の微細塵埃も含めて塵埃の殆どを捕捉できるのである。
【０００９】
更に、請求項１に係る発明においては、溜水型集塵器３の溜水の水頭圧を利用して溜水を集塵風路６に供給する配管手段８を備えていることを特徴とするものである。このような構成によれば、溜水型集塵器３の溜水の供給を溜水の水頭圧による配管手段８によっておこなうことができ、浮遊塵埃捕捉手段７の全体構成を簡素化でき、集塵車において、一層、有利となる。
しかも、溜水型集塵器３の溜水量が減少された場合に補給する水タンク３３を備えているから、溜水型集塵器３の溜水量が減少すると水タンク３３から補給することができる。
【００１０】
請求項２に係る発明においては、配管手段８の先端に設けたノズル１２を集塵風路６の中央部に進入させ、ノズル１２の先端に吸引ブロア１側に向かう吐水口１４を形成していることを特徴とするものである。このような構成によれば、集塵風路６の中心部で吸引ブロア１側に向けてノズル１２の吐水口１４が開口していて、集塵風路６を高速度で通過するエアーによって吐水口１４から液滴をエゼクター作用によって良好に吸い出して霧化することができ、溜水を水頭圧で供給しながら集塵風路６の中心部を含めた溜水の供給を充分にできる。
【００１１】
請求項３に係る発明においては、複数個のノズル１２…を集塵風路６の周方向に間隔を隔てて取り付けてあることを特徴とするものである。このような構成によれば、集塵風路６を高速度で通過するエアーによって集塵風路６の周方向に間隔を隔てたノズル１２…より液滴をエゼクター作用によって良好に吸い出して霧化することができ、溜水を水頭圧で供給しながら集塵風路６の周部を含めた溜水の供給を充分にできる。
【００１３】
【発明の実施の形態】
以下、本発明の実施の形態を説明する。図１は全体説明図である。図２は集塵車の概略斜視図である。
【００１４】
集塵車Ａは、トラックの車体にレシーバータンク２、例えばサイクロン方式にて集塵をおこなう２次キャッチャー１５、溜水に微粒子を付着させて集塵をおこなう３次キャッチャー１６、吸引ブロア１、及び、吸引ブロア１からのエアーを水に潜らせることでエアーを清浄化しかつ消音を図って大気に排気する４次キャッチャー１７を搭載していて、堆積された例えば、乾燥あるいは水等で湿潤した粉体、粒体、粉粒体、もしくは汚泥等を回収物として吸引して回収することができるようにしている。以下、上記各々の構成を詳述する。
【００１５】
図１及び図４に示すように、レシーバータンク２には吸引ホース５が接続され、タンク天井には当たり板１８が設けられ、吸引ホース５内を高速度で導入された回収物を当たり板１８に当てて落下させ、下部に堆積するようにしている。レシーバータンク２には２次キャッチャー１５が吸引ホース５にて接続され、２次キャッチャー１５にはサイクロン部が構成されてレシーバータンク２では分離できなかった粉塵を遠心分離作用により底部に落下させて回収するようにしている。
【００１６】
図１及び図５に示すように、２次キャッチャー１５には溜水型集塵器３としての３次キャッチャー１６が吸引ホース５にて接続され、３次キャッチャー１６には溜水部１９を形成し、溜水部１９の内部にパンチングメタル筒２０が支持パイプ２１に支持されて浸漬されていて、２次キャッチャー１５よりの塵埃を含んだエアーが導入口２２より導入され、微粒子を溜水に付着させて下部に沈澱させ、かつ、パンチングメタル筒２０にてろ過をするようにしている。出口２３よりエアーのみが導出される。
【００１７】
図１及び図６に示すように、３次キャッチャー１６には吸引ブロア１が吸引ホース５にて接続され、搭載しているエンジンの出力が必要に応じて取り出される動力取出し軸４からの出力にて吸引ブロア１が駆動される。吸引ブロア１は、例えば一対のインペラ（ローター）２４、２４をケーシング２５の内部でかみ合うように駆動するルーツ式のものであるが、スクリュー式のものでもよいものである。３次キャッチャー１６の出口２３が吸引ブロア１の吸入口２６に接続され、エアーは吸引ブロア１の吐出口２７より吐出される。
【００１８】
図１、５（ｂ）及び図６に示すように、吸引ブロア１には４次キャッチャー１７が吸引ホース５にて接続され、４次キャッチャー１７には水槽部２８が形成されている。水槽部２８の内部にパンチングメタル筒２９が支持パイプ３０等に支持されて浸漬されていて、吸引ブロア１よりのエアーが入り口３１より導入され、パンチングメタル筒２９にてろ過をするとともに水槽部２８の溜水を潜らせることで、清浄化し消音して出口３２より大気中に排気するようにしている。図１中符号３３は水タンクであり、３次及び４次キャッチャー１６、１７の所定の水位を維持するように水を給水弁３７、３７を操作して補給するものである。３６は開閉コックであり、開閉することでエアーの導入・停止を図って集塵作業・停止をおこなうものである。
【００１９】
しかして、集塵車Ａの運転室内における操作によって、エンジンからの出力を動力取出し軸４に伝達して吸引ブロア１を駆動し、車外の操作部における操作者の操作及びホース先端部の作業者の作業によって吸引ホース５より回収対象物を吸引するのであり、吸引した回収物をレシーバータンク２内に導入し、タンク内に設けた当たり板１８に衝突させて重力分離させて底部に堆積させる。分離されない微細物はサイクロン方式による遠心分離によって２次キャッチャー１５の底部に堆積させる。２次キャッチャー１５を通過したエアーは３次キャッチャー１６へと導入され、微粒子を溜水部１９の溜水に付着させて下部に沈澱させる。３次キャッチャー１６を通過したエアーは吸引ブロア１の吸入口２６から吸入されて吐出口２７から吐出され、４次キャッチャー１７へと導出され、４次キャッチャー１７の水槽部２８の溜水を潜ることで微粒子を除去するとともに消音を図って排気される。
【００２０】
以上のような集塵構成においては、発明が解決しようとする課題の欄で述べたように、全体集塵量を１００％として約２．５〜１０％の微細塵埃が吸引ブロア１を通過するのであるが、本発明においては、吸引ブロア１に吸入されるエアーには微細塵埃が残存しないようにするものである。
【００２１】
即ち、本発明においては、溜水型集塵器３の溜水を有効に利用して集塵風路６における塵埃の捕捉効率を高め、吸引ブロア１のロックを低減し、吸引ブロア１のケーシング及びローター（インペラ、スクリュー）の摩耗を低減して吸引ブロア１の効率が低下するのを防止して高効率を長期にわたって維持し、集塵車Ａの商品価値を高めるものである。以下、詳述する。
【００２２】
レシーバータンク２より導出されている吸引ホース５の先端部より吸引ブロア１までの適宜の吸引ホース５（機器間を接続しているホースを含む）内の集塵風路６間に配管３４を施し、このような配管３４を溜水型集塵器３としての３次キャッチャー１６の溜水槽１９に接続し、溜水槽１９の近傍にニードルバルブやボールバルブのような適宜の流量調整バルブ３５を設け、このような配管手段８によって３次キャッチャー１６の溜水を所望の集塵風路６に供給して風路中の塵埃を液滴で捕捉する浮遊塵埃捕捉手段７を構成する。浮遊塵埃捕捉手段７は例えば図１に示すように、レシーバータンク２より導出されている吸引ホース５の先端部ａと基端部ｂ、レシーバータンク２と２次キャッチャー１５との間の２カ所ｃ、ｄ、及び、２次キャッチャー１５と３次キャッチャー１６との間の箇所ｅにしているが、浮遊塵埃捕捉手段７を設定する箇所は種々変更することができるものである。このような３次キャッチャー１６よりの溜水の供給は溜水槽１９の水頭圧にておこなわれる。
【００２３】
このようにすれば、３次キャッチャー１６の溜水を吸引ブロア１までの適宜の集塵風路６に供給して液滴によって浮遊塵埃を捕捉することができるのであり、搭載している溜水型集塵器３の溜水を有効に利用して塵埃の捕捉効率を高めることができるのであり、吸引ブロア１に導入されるエアーには塵埃が殆ど存在しないようにできるのである。
【００２４】
この場合の集塵率データは、
0003626714.tif 000003
となり、３次キャッチャー１５と４次キャッチャー１７との間に配設している吸引ブロア１にＭａｘ０．５（％）の塵埃が通過し、殆どの塵埃が捕捉されていることが判る。
【００２５】
しかして、塵埃の噛み込みによる吸引ブロア１のロックを防止することができるのであり、吸引ブロア１のケーシング及びローターの摩耗を低減することができるのであり、吸引ブロア１において高い効率を長期にわたって維持することができるのであり、吸引ブロア１の保守の頻度を抑え、集塵車の商品価値を高めることができるのである。しかも、浮遊塵埃捕捉手段７を集塵風路６の複数箇所に設けることから、集塵効率を、一層、高めることができるのであり、吸引ブロア１に導入されるエアー中の微細塵埃も含めて塵埃の殆どを捕捉できるのである。
【００２６】
この場合、溜水型集塵器３の溜水の水頭圧を利用して溜水を供給することから、溜水型集塵器３の溜水の供給を溜水の水頭圧による配管手段８によっておこなうことができ、浮遊塵埃捕捉手段７の全体構成を簡素化でき、集塵車において、一層、有利となる。
【００２７】
図７に示すように、配管３４の先端にチーズ４１を取り付けて形成したノズル１２を吸引ホース５の中央部に進入させ、ノズル１２の先端に吸引ブロア１側に向かう吐水口１４を形成している。このように、吸引ホース５の中心部で吸引ブロア１側に向けてノズル１２の吐水口１４が開口していることから、吸引ホース５を高速度（約２０〜４０ｍ／ｓｅｃ）で通過するエアーによって吐水口１４から液滴をエゼクター作用によって良好に吸い出して霧化することができるのであり、溜水を水頭圧で供給しながら吸引ホース５の中心部を含めた溜水の供給を充分なものにでき、効果的な給水をおこなうことができる。
【００２８】
ところで、３次キャッチャー１６の溜水量が減少された場合には、水タンク３３から給水弁３７の操作によって補給される。又、４次キャッチャー１７の溜水量が減少された場合にも同様に給水弁３７の操作によって補給される。このような補給は３及び４次キャッチャー１６、１７の水位の一定以上の低下を検出する検出結果に基づいて自動的におこなうようにしてもよいものである。又、４次キャッチャー１７の水槽部２８の溜水を給水弁３９を備えた管路３８によって吸引ブロア１への吸入側の吸引ホース５に給水して浮遊塵埃捕捉手段７を構成するようにしてもよい。又、４次キャッチャー１７の水槽部２８の溜水を開閉弁４２より３次キャッチャー１６に給水するようにしてもよいものである。
【００２９】
図８は他の実施の形態を示し、但し、本実施の形態の基本構成は上記実施の形態と共通であり、共通する部分には同一の符号を付して説明は省略する。本実施の形態においては、配管３４より分岐させた複数個のノズル１２…を吸引ホース５の周方向に間隔を隔てて取り付けている。このような構成によれば、吸引ホース５を高速度で通過するエアーによって吸引ホース５の周方向に間隔を隔てたノズル１２…より液滴をエゼクター作用によって良好に吸い出して霧化することができ、溜水を水頭圧で供給しながら吸引ホース５の周部への溜水の供給を充分なものにできる。この場合、ノズル１２の個数は任意に設定することができる。
【００３０】
図９及び図１０は他の実施の形態を示し、但し、本実施の形態の基本構成は上記実施の形態と共通であり、共通する部分には同一の符号を付して説明は省略する。本実施の形態においては、３次キャッチャー１６と４次キャッチャー１７を横置き形態としたものである。
【００３１】
図１１及び図１２は参考例を示し、但し、本参考例の基本構成は上記実施の形態と共通であり、共通する部分には同一の符号を付して説明は省略する。これらの参考例においては、集塵車Ａに備えている動力取出し軸４からの動力をクラッチのような動力選択伝達部（図示せず）を必要に応じて操作することで、ポンプ４０のような強制供給手段９を作動させて溜水型集塵器３の溜水を供給する浮遊塵埃捕捉手段７を構成するものである。
【００３２】
このような構成によれば、装備している動力取出し軸４の動力を使用する強制供給手段９によって溜水型集塵器３の溜水を適宜の集塵風路６へと供給することができ、溜水の供給を確実にかつ充分な量をもっておこなうことができるのであり、液滴で捕捉する効率を、一層、高めることができるものである。
【００３３】
この場合、溜水型集塵器３の溜水の供給に際して、搭載されている直流電源（バッテリー）を使用する手段であってもよいものであり、搭載している直流電源によって溜水の供給を確実にかつ充分量をもっておこなうことができるのであり、液滴で捕捉する効率を、一層、高めることができるものである。
【００３４】
尚、本実施の形態においては、３次キャッチャー１６を溜水型集塵器３としたが、４次キャッチャー１７を溜水型集塵器３としてその溜水を適宜の箇所の吸引ホース５部分に供給するようにしてもよいものである。
【００３６】
【発明の効果】
請求項１に係る発明においては、吸引ブロア、レシーバータンク及び溜水を利用して集塵をおこなう溜水型集塵器を集塵風路にて接続して車に搭載し、吸引ブロアよりの吸引エアーにて集塵をおこなう集塵車であって、溜水型集塵器の溜水をレシーバータンクより延出されている吸引ホースの先端部から吸引ブロアまでの集塵風路の適宜の箇所に供給して集塵風路中の塵埃を液滴で捕捉する浮遊塵埃捕捉手段と、溜水型集塵器の溜水の水頭圧を利用して溜水を集塵風路に供給する配管手段と、溜水型集塵器の溜水量が減少された場合に補給する水タンクを備えているから、溜水型集塵器における溜水を吸引ブロアまでの集塵風路に供給して液滴によって浮遊塵埃を捕捉することができ、搭載している溜水型集塵器の溜水を有効に利用して塵埃の捕捉効率を高めることができ、吸引ブロアに導入されるエアアーには塵埃が殆ど存在することがなく、しかして、塵埃の噛み込みによる吸引ブロアのロックを防止することができ、吸引ブロアのケーシング及びローターの摩耗を低減することができ、吸引ブロアの高い効率を長期にわたって維持することができ、吸引ブロアの保守の頻度を抑えて吸引ブロアの寿命を延ばし、集塵車の商品価値を高めることができるという利点がある。しかも、搭載されている溜水型集塵器の溜水を適宜の集塵風路に供給するものであることから、集塵風路に液滴を供給する浮遊塵埃捕捉手段の構成を簡素化でき、集塵車において有利となる。
【００３７】
更に、請求項１に係る発明においては、溜水型集塵器の溜水の水頭圧を利用して溜水を集塵風路に供給する配管手段を備えているから、溜水型集塵器の溜水の供給を溜水の水頭圧による配管手段によっておこなうことができ、浮遊塵埃捕捉手段の全体構成を簡素化でき、集塵車において、一層、有利となるという利点がある。
しかも、溜水型集塵器の溜水量が減少された場合に補給する水タンクを備えているから、溜水型集塵器の溜水量が減少すると水タンクから補給することができる。
【００３８】
請求項２に係る発明においては、請求項１の効果に加えて、配管手段の先端に設けたノズルを集塵風路の中央部に進入させ、ノズルの先端に吸引ブロア側に向かう吐水口を形成しているから、集塵風路の中心部で吸引ブロア側に向けてノズルの吐水口が開口していて、集塵風路を高速度で通過するエアーによって吐水口から液滴をエゼクター作用によって良好に吸い出して霧化することができ、溜水を水頭圧で供給しながら集塵風路の中心部を含めた溜水の供給を充分なものにできるという利点がある。
【００３９】
請求項３に係る発明においては、請求項１の効果に加えて、複数個のノズルを集塵風路の周方向に間隔を隔てて取り付けてあるから、集塵風路を高速度で通過するエアーによって集塵風路の周方向に間隔を隔てたノズルより液滴をエゼクター作用によって良好に吸い出して霧化することができ、溜水を水頭圧で供給しながら集塵風路の周部を含めた溜水の供給を充分なものにできるという利点がある。
【図面の簡単な説明】
【図１】本発明の実施の一形態の全体説明図である。
【図２】同上の集塵車の概略斜視図である。
【図３】同上の概略説明図である。
【図４】（ａ）はレシーバータンクの側面図、（ｂ）は２次キャッチャーの側断面図である。
【図５】（ａ）は３次キャッチャーの側断面図、（ｂ）は４次キャッチャーの側断面図である。
【図６】同上の吸引ブロアの断面図である。
【図７】同上の浮遊塵埃捕捉手段を示し、（ａ）は側断面図、（ｂ）は縦断面図である。
【図８】同上の浮遊塵埃捕捉手段の他の実施の形態を示し、（ａ）は側断面図、（ｂ）は縦断面図である。
【図９】同上の他の実施の形態の説明図である。
【図１０】同上の要部の概略側面図である。
【図１１】
同上の参考例の説明図である。
【図１２】同上の参考例の説明図である。
【図１３】従来例の説明図である。
【符号の説明】
１    吸引ブロア
２    レシーバータンク
３    溜水型集塵器
４    動力取出し軸
５    吸引ホース
６    集塵風路
７    浮遊塵埃捕捉手段
８    配管手段
【図１】
0003626714.tif 000004
【図２】
0003626714.tif 000005
【図３】
0003626714.tif 000006
【図４】
0003626714.tif 000007
【図５】
0003626714.tif 000008
【図６】
0003626714.tif 000009
【図７】
0003626714.tif 000010
【図８】
0003626714.tif 000011
【図９】
0003626714.tif 000012
【図１０】
0003626714.tif 000013
【図１１】
0003626714.tif 000014
【図１２】
0003626714.tif 000015
【図１３】
0003626714.tif 000016